(57)【要約】【課題】本発明は、詳細には、ばね（１）と、及びこのばね（１）の内側に挿入された軸線方向長さが最大長（Ｌ０）まで可変の予応力ケージ（２）とを備える、前記ばねの端部（１１、１２）を最大距離離間されたところに保持するがこれらの端部を互いに近づけることができるプレストレスト弾性装置に関する。【解決手段】本発明によれば、ケージ（２）は、ベースを介して連結された二つのＵ形状離間部片（３、４）を含む。【選択図】図１
2005505724.tif 000002
【特許請求の範囲】
【請求項１】
軸線（Ｘ）に沿って細長い形状を示し、第１及び第２の端部（１１、１２）の間を延びる軸線方向通路（１０）を形成するプレストレスト弾性部材（１）と、軸線方向長さが最大長（Ｌ０）まで可変の予応力ケージ（２）を含み、このようなケージは、軸線方向通路（１０）内に挿入され、前記弾性部材（１）の第１及び第２の端部（１１、１２）に係止しており、これらの第１及び第２の端部が最大距離離間されるように保持することができるが、互いに近づく方向に引っ張ることができるプレストレスト弾性装置において、
前記ケージ（２）は、第１及び第２の離間部片（３、４）を含み、各離間部片は、自由端（３１０、３２０；４１０、４２０）及び連結端（３１１、３２１；４１１、４２１）を夫々有する二つのアーム（３１、３２；４１、４２）を有し、これらのアームは、前記連結端によって互いに共通のベース（３０、４０）に接合されており、前記第１及び第２の離間部片（３、４）の前記アーム（３１、３２；４１、４２）の前記自由端（３１０、３２０；４１０、４２０）は、前記プレストレスト弾性部材（１）の前記第１及び第２の端部（１１、１２）の夫々を保持する第１及び第２のフランジ（３３１；４３２）の夫々を構成するように前記軸線方向（Ｘ）から遠ざかる方向に外方に曲がっており、前記離間部片（３、４）はそれらのベース（３０、４０）を通して連結されている、ことを特徴とするプレストレスト弾性装置。
【請求項２】
請求項１に記載の弾性装置において、前記離間部片（３、４）の各々の前記アーム（３１、３２；４１、４２）の前記自由端（３１０、３２０；４１０、４２０）は、互いから遠ざかる方向に及び前記軸線（Ｘ）から遠ざかる方向に移動するように弾性的に押圧されており、前記プレストレスト弾性部材（１）に当接されている、ことを特徴とする弾性装置。
【請求項３】
請求項１又は２に記載の弾性装置において、前記離間部片（３、４）は一方が他方の内側に装着されており、一方が他方にそれらのベース（３０、４０）によって係止している、ことを特徴とする弾性装置。
【請求項４】
請求項１乃至３に記載の弾性装置において、前記離間部片（３、４）の各々は、ばね綱でできている、ことを特徴とする弾性装置。
【請求項５】
請求項１乃至４のうちのいずれか一項に記載の弾性装置において、前記プレストレスト弾性部材（１）は金属製のばねである、ことを特徴とする弾性装置。
【請求項６】
請求項１乃至５のうちのいずれか一項に記載の弾性装置において、前記プレストレスト弾性部材（１）はコイルばねである、ことを特徴とする弾性装置。
【請求項７】
請求項１乃至６のうちのいずれか一項に記載の弾性装置において、前記ケージの最大長を調節するための手段を含む、ことを特徴とする弾性装置。
【請求項８】
請求項７に記載の弾性装置において、前記最大長を調節するための手段は、前記離間部片（３、４）の各々の前記ベース（３０、４０）に前記離間部片（３、４）の前記アーム（３１、３２；４１、４２）間に形成されており且つ前記離間部片（３、４）の前記アーム（３１、３２；４１、４２）の前記自由端（３１０、３２０；４１０、４２０）の方向に突出した中央折り目（３０１、４０１）を含む、ことを特徴とする弾性装置。
【請求項９】
請求項７に記載の弾性装置において、前記最大長を調節するための手段は、前記離間部片（３、４）の一方の前記ベース（４０）に形成されたボス（４００）を含む、ことを特徴とする弾性装置。
【請求項１０】
請求項７に記載の弾性装置において、前記最大長を調節するための手段は、前記離間部片（３、４）の前記ベース（３０、４０）間に配置されたシム（５）を含む、ことを特徴とする弾性装置。
【請求項１１】
請求項１乃至１０のうちのいずれか一項に記載の弾性装置において、前記離間部片（３、４）の前記ベース（３０、４０）は実質的に円形である、ことを特徴とする弾性装置。
【請求項１２】
請求項１乃至１１のうちのいずれか一項に記載の弾性装置の、制動用マスターシリンダのピストンの戻しへの適用。
【発明の詳細な説明】
【技術分野】
【０００１】
本発明は、全体として、制御された弾性力を及ぼすことができる機械装置に関する。
更に詳細には、第１の特徴によれば、本発明は、軸線に沿って細長い形状を示し、第１及び第２の端部の間を延びる軸線方向通路を形成するプレストレスト（ｐｒｅｓｔｒｅｓｓｅｄ）弾性部材と、及び軸線方向長さが最大長まで可変の予応力ケージとを備え、このようなケージは、軸線方向通路内に挿入され、弾性部材の第１及び第２の端部に係止し、これらの第１及び第２の端部が最大距離離間されるように保持することができるが、互いに近づく方向に引っ張ることができるプレストレスト弾性装置に関する。
【背景技術】
【０００２】
このような装置は、数十年に亘って周知であり、機械工学の多くの分野で使用されてきた。
このような装置は構造が比較的簡単であるにも拘わらず、製造に関し、更に特定的には大量生産を行う場合に幾つかの困難がある。
【発明の開示】
【発明が解決しようとする課題】
【０００３】
本発明の目的は、プレストレスト弾性装置を提供し、少なくとも加工に要する費用を軽減し及び／又は組み立てサイクル時間を短くすることにより、その製造方法又は組み立て方法を最適化することである。
【課題を解決するための手段】
【０００４】
この目的のため、冒頭の包括的定義と矛盾しない本発明による装置は、主として、ケージが第１及び第２の離間部片を含み、各離間部片は、自由端及び連結端を夫々有する二つのアームを有し、これらのアームは、連結端によって互いに共通のベースに接合されており、第１及び第２の離間部片のアームの自由端は、プレストレスト弾性部材の第１及び第２の端部の夫々を保持する第１及び第２のフランジの夫々を構成するように軸線方向から遠ざかる方向に外方に曲がっており、離間部片はそれらのベースを通して連結されている、ことを特徴とする。
【０００５】
好ましい方法では、離間部片の各々のアームの自由端は、互いから遠ざかる方向に及び軸線から遠ざかる方向に移動するように弾性的に押圧されており、プレストレスト弾性部材に当接されている。
【０００６】
かくして、離間部片は一方が他方の内側に装着されていてもよく、一方が他方にそれらのベースによって係止している。
各離間部片は、例えばばね綱でできており、プレストレスト弾性部材は金属製のばね及び／又はコイルばねであってもよい。
【０００７】
また、このような装置は、ケージの最大長を調節するための手段を含んでもよい。
前記調節手段は、例えば、各離間部片のベースに前記離間部片のアーム間に形成されており且つこの離間部片のアームの自由端の方向に突出した中央折り目を含んでもよい。
【０００８】
変形例によれば、このような調節手段は、離間部片の一方のベースに形成されたボスを含んでもよく、又は離間部片のベース間に配置されたシムを含んでもよい。
後者の場合、各離間部片のベースは、シムを所定位置に保持するため、有利には、実質的に円形であってもよい。
【０００９】
本発明による装置は、制動用マスターシリンダのピストンの戻しに対して非常に適している。
本発明のこの他の特徴及び利点は、単なる例であって限定でない以下の詳細な説明を添付図面と関連して読むことにより明らかになるであろう。
【実施例】
【００１０】
上文中に説明したように、本発明は、主としてプレストレスト弾性部材１、例えば鋼製コイルばね、及び予応力ケージ２を含む種類のプレストレスト弾性装置に関する。
プレストレスト弾性部材１についてどのような特定の形状が選択されようとも、このような部材は長手方向軸線Ｘに沿った細長い形状を示し、前記弾性部材１の端部１１と１２との間を延びる軸線方向通路１０を形成する。
【００１１】
軸線方向長さが最大長さＬ０まで可変の予応力ケージ２を軸線方向通路１０の内側に装着し、ばね１の端部１１及び１２に係止し、これらのばねの端部を、ケージの最大長Ｌ０によって設定された互いから最大距離のところに保持することができる。しかし、これらの端部を互いに近づけることができる。
【００１２】
本発明によれば、ケージ２は二つの離間部片３及び４を含む。
各離間部片は、離間部片３についてはアーム３１及び３２、離間部片４についてはアーム４１及び４２の二つのアームを有する。
【００１３】
各離間部片の二つのアームは、３１０、３２０、及び４１０、４２０等の自由端を夫々有し、３１１、３２１、及び４１１、４２１等の連結端を夫々有する。
離間部片３及び４の各々は、３０及び４０等のベースを有し、これらのベースにより、３１１、３２１、及び４１１、４２１等の連結端が、互いに接合される。
【００１４】
反対側では、離間部片３及び４のアームの自由端３１０、３２０、及び４１０、４２０は、夫々のフランジを形成するように軸線Ｘから遠ざかる方向に外方に曲げてある。フランジは、離間部片３については３３１であり、離間部片４については４３２である。
【００１５】
図１は、離間部片３及び４に形成されたフランジ３３１及び４３２の機能が、ばね１の対応する端部１１及び１２を保持することにあるということを示す。離間部片３及び４は、それ以外では、それらの夫々のベース３０及び４０によって連結されている。
【００１６】
各離間部片３、４は、例えばばね綱製であり、軸線Ｘに対して横断方向に、即ちアーム３１、３２、及び４１、４２の相互開閉運動と対応する方向に弾性を示す。
従って、離間部片３及び４の各々一方の、アームの自由端３１０、３２０、及び４１０、４２０は、互いから及び軸線Ｘから遠ざかる方向に移動するように、及びばね１の対応する端部１１及び１２の各々一方の内周に押し付けられるように、弾性を以て押圧されている。
【００１７】
図１にも示してあるように、好ましい方法では、離間部片３及び４は、一方が他方の内側に装着されているだけであり、その結果、これらの離間部片は、それらの夫々のベース３０及び４０によって一方が他方に当接する。
【００１８】
ケージ２の最大長Ｌ０を調節する必要がある場合には、４００（図３参照）等のボスを離間部片３及び４の一方のベース４０に設けてもよい。これは、フランジ３３１及び４３２をこのようなボスの高さと対応する距離だけ互いに近づけるように行われる。
【００１９】
変形例（図４参照）では、シム５を離間部片３及び４のベース３０と４０との間に入れてもよい。この場合、シム５に対して大きく且つ安定した支持体を提供するため、離間部片３及び４のベース３０及び４０は実質的に円形形状を示す。
【００２０】
それにも拘わらず、調節自在の最大長ケージ２０の好ましい実施例を図５に示す。
このようなケージでは、各離間部片３、４のベース３０、４０は、問題の離間部片のアーム３１と３２との間又は４１と４２との間に配置された中央折り目３０１、４０１を有する。これらの折り目は、これらのアームのアーム自由端の方向に突出している。
【００２１】
この構成により、折り目３０１及び４０１が互いに支承することにより、部片３及び４に対してナックル様接触を提供し、ケージの最大長Ｌ０が折り目３０１及び４０１の塑性収縮により増大する。
【００２２】
本発明による装置は、非常に多くの目的に役立つが、最も好ましい実施例は、液圧式制動用マスターシリンダの分野に関する。この分野では、装置は一次ピストン及び／又は二次ピストンの戻しを行うことができる。このような用途は、性能の非常に高い再現性を必要とする大量生産と対応する。
【図面の簡単な説明】
【００２３】
【図１】本発明による装置の斜視図である。
【図２】本発明による装置と一体化する前の弾性部材の斜視図である。
【図３】本発明による装置と一体化する前の第１の変形例によるケージのエレメントを構成する二つの離間部片の斜視図である。
【図４】本発明による装置と一体化する前の第２の変形例によるケージのエレメントを構成する二つの離間部片の斜視図である。
【図５】本発明の好ましい実施例による長さ調節手段を構成する本発明によるケージを示す長さ方向断面図である。
【符号の説明】
【００２４】
１  プレストレスト弾性部材
２  予応力ケージ
３、４  離間部片
１０  軸線方向通路
１１、１２  前記弾性部材端部
３０、４０  ベース
３１、３２、４１、４２  アーム
４１及び４２の二つのアームを有する。
３１０、３２０、４１０、４２０  自由端
３１１、３２１、４１１、４２１  連結端
【国際公開パンフレット】
2005505724.tif 000003
2005505724.tif 000004
2005505724.tif 000005
2005505724.tif 000006
2005505724.tif 000007
2005505724.tif 000008
2005505724.tif 000009
2005505724.tif 000010
2005505724.tif 000011
2005505724.tif 000012
2005505724.tif 000013
2005505724.tif 000014
2005505724.tif 000015
2005505724.tif 000016
【国際公開パンフレット（コレクトバージョン）】
2005505724.tif 000017
2005505724.tif 000018
【国際調査報告】
2005505724.tif 000019
2005505724.tif 000020